(57)【要約】【課題】洗浄、すすぎ工程時に排気口からの高温湿潤空気が排出するのを防止するようにした食器洗浄機を得る。【解決手段】食器類を洗浄及び乾燥するための容器を構成する洗浄槽３と、洗浄水を加熱する湯沸かしヒータ１２と、洗浄水を加圧する洗浄ポンプ１３と、加圧された洗浄水を前記洗浄槽内に噴射するノズル１４と、洗浄槽の内部に生じる高温湿潤空気を機器の外へ排出するための排気口５ａと、乾燥風を供給するための乾燥用送風機２２と、排気口５ａと洗浄槽を連結する排気ダクト４４と、排気ダクト４４内に配置され、乾燥用送風機２２の風圧により開閉するシャッター４３と、シャッター４３の洗浄槽側の面に当接するガイド体３ｃとを備えたものである。【選択図】図１
2008229309.tif 000002
【特許請求の範囲】
【請求項１】
食器類を洗浄及び乾燥するための容器を構成する洗浄槽と、
洗浄水を加熱する発熱体と、
洗浄水を加圧する洗浄ポンプと、
加圧された洗浄水を前記洗浄槽内に噴射するノズルと、
前記洗浄槽の内部に生じる高温湿潤空気を排出するための洗浄槽排気口と、
前記洗浄槽排気口と連通し、前記洗浄槽の内部に生じる高温湿潤空気を機器の外へ排出するための外部排気口と、
前記洗浄槽排気口と外部排気口との間に配置された排気ダクトと、
前記排気ダクト内に開閉自在に形成されたシャッターと、
前記排気ダクト内の前記洗浄槽の外壁に一体的に形成され、前記シャッターの前記洗浄槽側の面に当接するガイド体と
を備えたことを特徴とする食器洗浄機。
【請求項２】
前記ガイド体に代えて、
前記洗浄槽とは別部材から構成され、前記排気ダクト内の前記洗浄槽の外壁に取り付けられ、前記シャッターの前記洗浄槽側の面に当接するガイド体を備えたことを特徴とする請求項１記載の食器洗浄機。
【請求項３】
前記ガイド体は、前記シャッターの前記洗浄槽側の面に当接する略コ字形状又は略Ｕ字形状のリブを備えたことを特徴とする請求項１又は２記載の食器洗浄機。
【請求項４】
前記シャッターと前記ガイド体との当接部にシール部材を備えたことを特徴とする請求項１〜３の何れかに記載の食器洗浄機。
【請求項５】
前記シャッターは、前記ガイド体に可動自在に支持されることを特徴とする請求項１〜４の何れかに記載の食器洗浄機。
【請求項６】
前記シャッターの洗浄槽側の面の端部に、当該面の四方を囲むリブを備えたことを特徴とする請求項１〜５の何れかに記載の食器洗浄機。
【請求項７】
前記排気ダクトには、前記高温湿潤空気が屈曲して流れるようにした迂回壁を設けたことを特徴とする請求項１〜６の何れかに記載の食器洗浄機。
【請求項８】
前記迂回壁は、前記洗浄槽の外壁に形成されたことを特徴とする請求項７記載の食器洗浄機。
【請求項９】
前記迂回壁は、前記洗浄槽排気口の出側上方に軒面として形成されたことを特徴とする請求項７又は８記載の食器洗浄機。
【請求項１０】
前記排気ダクト内には、前記排気口に向けた傾斜された斜面内壁面が形成されていることを特徴とする請求項１〜９の何れかに記載の食器洗浄機。
【請求項１１】
前記排気ダクトは、前記洗浄槽より放熱性に優れた材料により形成されていることを特徴とする請求項１〜１０の何れかに記載の食器洗浄機。
【請求項１２】
前記洗浄槽は、上方に上開口部を有し、
乾燥工程時に乾燥風を前記洗浄槽に供給するための乾燥用送風機と、
前記発熱体、前記洗浄ポンプ及び前記乾燥用送風機を制御する制御装置と、
前記洗浄槽の上開口部を開閉自在に覆う開閉蓋と、
前方に前開口部を有し、前記乾燥用送風機、前記洗浄槽、前記開閉蓋、前記洗浄ポンプ、前記発熱体、前記ノズル及び前記排気ダクトを収納した筐体と、
前記筐体内に、該筐体内にスライド自在に形成され、前記前開口部を開閉自在に覆う扉とを備え、
前記乾燥用送風機の吸込み口は、前記排気ダクトの上流側の前記扉又は前記扉と前記洗浄槽との間の隙間に形成され、前記吸込み口より進入した外気は、前記制御装置、前記排気ダクト及び前記洗浄槽の外壁を空冷し、前記乾燥用送風機の入口に進入することを特徴とする請求項１〜１１の何れかに記載の食器洗浄機。
【請求項１３】
前記吸込み口より進入した外気は、前記開閉蓋の上面側を冷却することを特徴とする請求項１２記載の食器洗浄機。
【請求項１４】
前記乾燥用送風機の運転時に、前記シャッターを前記ガイド体より離間させる押圧体を備え、該押圧体は前記制御装置により制御されることを特徴とする請求項１〜１３の何れかに記載の食器洗浄機。
【発明の詳細な説明】
【技術分野】
【０００１】
本発明は、食器洗浄機に係り、さらに詳しくは、排気口の結露防止及び騒音低減に関するものである。
【背景技術】
【０００２】
従来の食器洗浄機は、洗浄及びすすぎ工程においては、本体内に設置された洗浄槽の内部に貯えられた洗浄水を、湯沸かしヒータにて加熱し、洗浄ポンプにて圧力を与えて、ノズルにより食器かごに収納された食器類に噴きかけている。
【０００３】
この洗浄及びすすぎ工程において、排気口より漏れ出す高温湿潤空気は、排気口周辺に結露を生じさせ、機器を変色させたり、流し台カウンタトップの材料を劣化させたり、さらには滴下した結露が台所の床面に染みになるなどして使用者に後始末などの余計な労力を課すなどの問題点があった。
【０００４】
そこで、排気口と洗浄槽を連結する排気ダクト内に開閉弁を設置するなどの改良がなされてきた（例えば、特許文献１参照）。
【特許文献１】実開平４−１３５２６４号公報
【発明の開示】
【発明が解決しようとする課題】
【０００５】
しかしながら、特許文献１に記載された従来の食器洗浄機は、開閉弁（シャッター）のシール構造が曖昧であるため、洗浄及びすすぎ工程において、高温湿潤空気が排気口より漏れ出したり、外気により急激に冷やされて水滴となり排気口に付着して、使用者の衣類を濡らすようなことがあった。また、水滴は機器の錆の発生原因となっていた。
【０００６】
本発明は、上記のような問題点を解決するためになされたものであり、洗浄及びすすぎ工程時に排気口からの高温湿潤空気が排出するのを防止するようにした食器洗浄機を得ることを目的とする。
【課題を解決するための手段】
【０００７】
本発明に係る食器洗浄機は、
食器類を洗浄及び乾燥するための容器を構成する洗浄槽と、
洗浄水を加熱する発熱体と、
洗浄水を加圧する洗浄ポンプと、
加圧された洗浄水を前記洗浄槽内に噴射するノズルと、
前記洗浄槽の内部に生じる高温湿潤空気を排出するための洗浄槽排気口と、
前記洗浄槽排気口と連通し、前記洗浄槽の内部に生じる高温湿潤空気を機器の外へ排出するための外部排気口と、
前記洗浄槽排気口と外部排気口との間に配置された排気ダクトと、
前記排気ダクト内に開閉自在に形成されたシャッターと、
前記排気ダクト内の前記洗浄槽の外壁に一体的に形成され、前記シャッターの前記洗浄槽側の面に当接するガイド体と
を備えたものである。
【発明の効果】
【０００８】
本発明に係る食器洗浄機によれば、排気ダクト内の洗浄槽の外壁に形成されたガイド体がシャッターと当接しており、これにより高いシール機能が得られている。また、ガイド体を洗浄槽と一体的に設けたことにより、ガイド体と洗浄槽との間にシール部材を設けることが不要になっており、このため、構造の簡素化が可能になっている。
【発明を実施するための最良の形態】
【０００９】
実施の形態１．
図１は、本発明の実施の形態１に係る食器洗浄機の縦断面図、図２は、同食器洗浄機の正面図、図３は、同食器洗浄機のドアを手前に引いた状態の縦断面図、図４は、同実施の形態１の排気ユニット要部縦断面図、図５（ａ）は、同実施の形態１の排気ユニットの一例の要部斜視図、図５（ｂ）は、同実施の形態１の排気ユニットの他の例の要部斜視図である。
【００１０】
食器洗浄機１は、図１に示されるように、前方に開口部２ａを有し、外郭にあたる筐体２、筐体２の内部に配置され、上部に開口部３ｆが形成され、食器類９１を洗浄、乾燥するための容器を構成する洗浄槽３、洗浄槽３の上方にあり、洗浄槽３の開口部３ｆを閉塞するためのふた体（開閉蓋）４、洗浄槽３の前方に取り付けられ、筐体２の開口部２ａを開閉するドア（扉）５、及び、その他の多くの機能部品から構成されている機器である。ふた体４にはリンク機構４ａが取り付けられており、このリンク機構４ａがふた体４を上下方向に移動させることにより洗浄槽３の開口部３ｆを開閉する。ドア５には、図２に示されるように、操作部７（運転スイッチ８を含む）を備えており、また、ドア５と洗浄槽３とは連結されており、また、洗浄槽３は筐体２の底部に対してスライド自在に支持されている。このため、ドア５を引き出すことにより、図３に示されるように、洗浄槽３が引き出される。これにより食器類９１の出し入れが可能になる。
【００１１】
また、食器洗浄機１の中心的な役割を果たす洗浄槽３の後方には、図１に示されるように、食器類９１の乾燥に必要な温風を供給するための槽送風口３ａが形成されており、その外には、温風を発生させるための乾燥ユニット２１が取り付けられている。なお、乾燥ユニット２１は、空気を供給するための乾燥用送風機２２、その空気を加熱するための乾燥用ヒータ２３及びそれらを内蔵するケーシング２４から構成されている。そして、このケーシング２４には、乾燥用送風機２２が空気を吸い込むための開口部２４ａが設けられている。
【００１２】
また、洗浄槽３の前方には、洗浄槽３の内部に生じた高温湿潤空気を排出するための槽排気口（水槽排気口）３ｂが、ドア５の上方には、その高温湿潤空気を機器の外へ排出するための外部排気口５ａが形成されており、その間には、それらを連結するための排気ユニット４１が取り付けられている。排気ユニット４１は、図４に示されるように、シャッター４３、及びこれを内蔵する排気ダクト４４から構成されており、その内部には、軒面Ａ４４ａ、傾斜面４４ｂ、軒面Ｂ４４ｃが含まれており、これらにより洗浄槽３内のノズル１４より噴射される洗浄水が外部排気口５ａから容易に飛散し難いようにラビリンス構造になっている（但し軒面Ａ４４ａは洗浄槽３の外壁に一体的に形成されている。）。また、排気ダクト４４の各面は、結露した水を洗浄槽３に戻しやすくするために、全ての面が下向きに傾斜するように構成されており、最終的に結露した水はこれら各面を伝い、集結する最下方の槽排気口３ｂより洗浄槽３に戻される。なお、排気ユニット４１の両端は、外部排気口５ａの内壁側と洗浄槽３の外壁とにそれぞれ取り付けられているが、その取付けに際しては例えばパッキン５０を介在させて気密構造にしている。
【００１３】
また、洗浄槽３の外壁には、シャッター４３の上方隙間への高温湿潤空気漏れを無くすために、排気ダクト４４の空気の流れを整流するためのガイド体（槽シールリブ）３ｃが略コ字形状に一体的に形成されており（図５（ａ））、このガイド体（槽シールリブ）３ｃの先端面にはシャッター４３の洗浄槽側の面に隙間なく密接する槽シール面３ｄが形成されている。この図５（ａ）の例ではガイド体（槽シールリブ）３ｃの形状が略コ字形状ではあるが、ガイド体（槽シールリブ）３ｃは例えば図５（ｂ）のような略Ｕ字形状などの、リブの４辺のうち下側が開放されている形状であり、先端面がシャッター４３と隙間なく密接する形状であれば機能上は問題ない。また、この槽シール面３ｄにはゴムパッキン等のシール部材（図示せず）を設けるようにしてもよい。そのようにした場合には、更にシール性が向上し、洗浄槽３内で発生する高温湿潤空気の洩れをより確実に防止することが可能になっている。このことは後述の実施の形態においても同様である。なお、このシール部材は槽シール面３ｄ側ではなく、シャッター４３の洗浄槽３側の面に設けてもよい。
【００１４】
また、排気ダクト４４内には、前記作用による結露水などが滞らないように、内部壁軒面Ａ４４ａ、傾斜面４４ｂ、軒面Ｂ４４ｃは各々傾斜させるなど、シャッター４３も傾斜配置させるなどの工夫が施されており、結露水が滞ることなく排気ダクト４４内を衛生的に保つことができるようにしてある。上記の内部壁軒面Ａ４４ａは本発明の迂回壁に相当するものであり、排気ダクト４４内にこのような内部壁軒面Ａ４４ａを設けることにより、槽排気口３ｂから外部排気口５ａまでの空気風路を長くすることが可能になり、乾燥工程時には、洗浄槽３内で発生している高温湿潤空気を、低湿化して水蒸気を水滴にして、洗浄槽３内に戻すとともに、外部排気口５ａからの排気を低温化することが可能になる。また、内部壁軒面Ａ４４ａは洗浄槽３の外壁と一体的に形成されており、これにより排気ユニット４１（排気ダクト４４）の構造が簡単になっている。また、傾斜面４４ｂにはシャッター４３の下辺を受けるための段差４４ｆが形成されており、この段差４４ｆがシャッター４３の下辺に当接することにより、シャッター４３のシール性が更に一層向上する。
【００１５】
図６（Ａ）（Ｂ）は、図１の排気ユニット４１を取り外した状態の図であり、（Ａ）は外部排気口５ｃ側から見た斜視図、（Ｂ）は洗浄槽３側から見た斜視図である。排気ユニット４１を取り付けたときに、下側の空間部４４ｇに内部壁軒面Ａ４４ａが挿入された状態になり、また、上側の空間部４４ｈにガイド体３ｃが挿入された状態になる。そして、排気ユニット４１に一端が回動自在に支持されているシャッター４３が、洗浄及びすすぎ工程においては、ガイド体３ｃに当接し、洗浄槽３内の高温湿潤空気が外部排気口５ａから排出されないようにしてある。なお、排気ダクト４４は、洗浄槽３よりも放熱性に優れた材料、例えば金属材料により構成されており、このため、排気ダクト４４を通過する高温湿潤空気の冷却性が向上しており、外部排気口５ａから排気される空気の低温化に役立つものとなっている。
【００１６】
次に、この実施の形態１に係る食器洗浄機により食器類を洗浄及び乾燥する場合の動作について説明する。
まず、図３に示されるようにドア５を手間側に引いて、食器かご６に洗浄、乾燥したい食器類９１を収納し、その近傍に適量の洗剤を入れ、ドア５を閉じる。
ついで、操作部７に設けられた運転スイッチ８を押し、機器の動作を開始させる。なお、動作については制御装置９が司り、その命令により各機能部品を動作させ、洗浄工程、すすぎ工程、加熱すすぎ工程、乾燥工程の順に進行させていくものである。
【００１７】
洗浄工程が開始されるとまず、給水弁１０を開き、洗浄槽３内への給水を行う。このとき、洗浄槽３内の水位は、水位検知装置１１にて監視されており、所定の水位に達したことを検知すると、給水弁１０を閉じる。ついで、湯沸かしヒータ１２に通電し、貯えられた洗浄水を加熱すると共に、洗浄ポンプ１３に通電し、その洗浄水に圧力を与え、ノズル１４を利用し食器類９１に噴きかける。なお、洗浄は貯えられた洗浄水を循環しながら行うもので、洗浄槽３底部へ落下した洗浄水を集め、再び洗浄ポンプ１３にて圧力を与え、ノズル１４を利用し食器類９１に噴きかけることを繰り返すものである。また、洗浄水温は、水温検知素子１５にて監視されており、所定の温度に達したことを検知すると、湯沸かしヒータ１２の通電を停止する。
【００１８】
洗浄工程が開始され、所定の時間が経過すると、湯沸かしヒータ１２、洗浄ポンプ１３の通電を停止すると共に、排水ポンプ１６に通電し、洗浄槽３内に貯えられた洗浄水を外部に排水する。これにより、洗浄工程が終了する。
【００１９】
ここで、排気ユニット４１の動作及びその効果について説明する。
シャッター４３は、排気ダクト４４に形成された軸受４４ｄ（図４参照）に装着されるものであり、通常は自重の作用で閉じており、洗浄槽３の内部に生じる高温湿潤空気と、洗浄、すすぎ工程時に生じる洗浄水の噴射音とを、外部排気口５ａから漏らさないように、洗浄槽３の外壁側に一体的に形成されたガイド体３ｃの槽シール面３ｄとのシール作用により排気ダクト４４を遮断する働きを持っている。ただし、乾燥工程時には、乾燥ユニット２１から発生する温風の力により開き、スムーズな排気が行われるように構成されている。
【００２０】
洗浄は湯沸かしヒータ１２により洗浄水を加熱しながら行うものであり、その洗浄水温は、洗剤の能力が最大限に発揮できる温度にするのが通常で、概ね６０℃程度に設定される。したがって、洗浄槽３内部の空気は、多くの湯気が充満した高温湿潤状態となり、さらに、加熱による空気膨張と、上昇気流の作用により、その高温湿潤空気は、槽排気口３ｂを経て、排気口５ａから漏れ出ようとする。
【００２１】
ここで先に説明したシール作用により排気ダクト４４を遮断しこれら高温湿潤空気の排気を遮断することができるため、外部排気口５ａから高温湿潤空気が排出することがなく排気口周辺が結露することがない。併せて洗浄槽３内の水はね音やポンプ動作音の排気口５ａからの漏れ音も遮断させることができるため、装置の静穏性を高めることができる。なお、排気ダクト４４を遮断する性能は、電動式シャッターなどと比べ劣る面があるが、構造が簡単で、温度や湿度や水の影響を受けず、かつ、洗浄槽３内部の圧力が容易に抜けるなどのメリットもある。
【００２２】
次に、すすぎ工程が開始されるが、基本的な動作はほぼ洗浄工程と同様で、まず、給水弁１０を開き、洗浄槽３内への給水を行い、水位検知装置１１にて所定の水位に達したことを検知し、給水弁１０を閉じる。
ついで、洗浄ポンプ１３に通電し、そのすすぎ水に圧力を与え、ノズル１４を利用し食器類９１に噴きかける。そして、所定の時間が経過すると、洗浄ポンプ１３の通電を停止すると共に、排水ポンプ１６に通電し、洗浄槽３内に貯えられたすすぎ水を外部に排水する。このようなすすぎ工程は、数回繰り返される。
【００２３】
次に、加熱すすぎ工程が開始されるが、基本的な動作は洗浄工程と同様であり、上述したすすぎ工程に、湯沸かしヒータ１２によるすすぎ水の加熱が加わったものである。なお、そのすすぎ水温は、洗浄の最後を仕上げる意味と、乾燥性能を高めるために、洗浄水温よりも高温にするのが通常であり、概ね７０℃超に設定される。よって、洗浄槽３内部の空気の状態は、洗浄工程時以上となり、高温湿潤空気が漏れ出ようとする度合いが増すが、先に説明した、排気ユニット４１の働きにより、外部排気口５ａから高温湿潤空気が排出されることはない。
【００２４】
上記のような洗浄及びすすぎ工程が完了すると、最後の工程である乾燥工程が開始される。
図７は、乾燥工程において外部から取り込んだ空気の流れを示した説明図である。まず、乾燥用送風機２２に通電し、空気に圧力を与えると共に、乾燥用ヒータ２３に通電する。乾燥用送風機の吸込み口は、排気ダクトの上流側の扉又は扉と洗浄槽との間の隙間５ｂ及び扉５の内、例えば排気ダクト４４の上流側に位置する部位（扉の下側）５ｃに形成され、吸込み口より進入した外気は、制御装置１０、排気ダクト４４及び洗浄槽３の外壁を空冷し、乾燥用送風機２２の入口に進入し、乾燥用ヒータ２３によりその空気を加熱し温風に変え、槽送風口３ａから食器類９１に噴きかける。
【００２５】
ついで、槽送風口３ａから送り込まれた温風は、洗浄槽３の内部を通過し、槽排気口３ｂから排気ダクト４４に入り、温風の力によりシャッター４３が開き、外部排気口５ａから機器の外へ排出されることになる。なお、乾燥工程開始の直後から暫くの間排出される気体の状態は、今まで述べてきた高温湿潤空気であるが、これは洗浄槽３内の空気が、乾燥用送風機２２により乾燥した空気を逐次入れ替えている間のみのわずかな時間なため、外部排気口５ａが結露するまでには至らない。
【００２６】
このように外部からの空気が、制御装置９、排気ダクト４４及び洗浄槽３を冷却するので、高温部材の低温化に役立つとともに、空気の温度を上昇させることにより乾燥用ヒータ２３の熱容量を小さくすることができ、省エネ効果が向上する。更に、外部からの進入した空気は、ふた体４の上面側を冷却風路としており、高温になるふた体４の冷却は勿論、筐体２の上部も冷却することができる。このため、流し台に食器洗浄機１を組み込んだ際には、流し台が高温化するのを防止できる。
【００２７】
以上のようにこの実施の形態１においては、排気ダクト４４内に設けたシャッター４３と略コ字形状（又は略Ｕ字形状）のリブからなるガイド体３ｃとにより、洗浄槽３と外部排気口５ａを高温湿潤空気から遮断することができるため、乾燥用送風機２２による風圧が供給された場合を除いて、外部排気口５ａから高温湿潤空気が排出することがなく外部排気口５ａの周辺が結露することがない。このため、結露により利用者の衣類を濡らすようなこともなく、結露により錆の発生も無くなっている。また、併せて音も遮断させることができるため、洗浄槽３内の水はね音やポンプ動作音が外部排気口５ａから漏れるような事態が発生しなくなり、装置の静穏性を高めることができる。
【００２８】
実施の形態２．
図８は、本発明の実施の形態２の排気ユニット要部縦断面図、図９は、同実施の形態２のダクト体の斜視図である。この実施の形態２は、システムは実施の形態１と同様のものを用いているが、排気ダクト４４内に、シャッター４３の上方隙間への高温湿潤空気漏れを無くすために、排気ダクト４４の空気の流れを整流するためのガイド体（ダクトガイド）４２が設置されており、このガイド体４２は洗浄槽３とは別部材から構成されており、そして、そのガイド体４２にシャッター４３が回動自在に支持されていることが、上記の実施の形態１と相違する。
【００２９】
ガイド体（ダクトガイド）４２はシャッター４３の上方隙間への高温湿潤空気漏れを無くすために排気ダクト４４の空気を整流するためのものであり、このダクトガイド４２のシャッター４３側の当接面には、シャッター４３の洗浄槽側の面に隙間なく密接するダクトガイドシール面４２ａが形成されている。ダクトガイドシール面４２ａはリブの４辺のうち下側が開放されている形状であり、先端面はシール性能を高めるために面幅を増すなどの工夫が施されている。
【００３０】
この実施の形態２では、ガイド体（ダクトガイド）４２が洗浄槽３とは別体になっており、仮に、洗浄槽３が通常プラスチック樹脂などの工業用金型成型にて作られるものであっても、洗浄槽３と一体的に成形されないため、形状の制約が無く、また、輸送時には組み立てていない状態で輸送することにより、例えば輸送時の衝突などによる破損を避けることが可能になっており、輸送性が改善される。ガイド体（ダクトガイド）４２のシール面４２ａは十分なシール面幅を確保することができ、上記の実施の形態１と同様な効果を更に向上させることができる。なお、ガイド体（ダクトガイド）４２のシール面４２ａは図９のような略コ字形状だけでなく、略Ｕ字形状（図５（ｂ））にしても同様な効果が得られる。
【００３１】
また、シャッター４３がガイド体４２に可動自在に支持されているので、排気ユニット４１を取り付ける前に、シャッター４３とガイド体４２のシール状況を確認することができることから、そのシール性や組立て性が向上する。
【００３２】
実施の形態３．
図１０は、本発明の実施の形態３の排気ユニット要部縦断面図、図１１は、同実施の形態３のシャッター斜視図である。この実施の形態３は、システムは実施の形態１及び実施の形態２と同様のものを用いているが、排気ダクト４４内のシャッター４３は、高温湿潤空気の流れを阻害させるシャッターリブ４３ｂを備え、それによりシャッターシール面４３ａの四方を囲むよう構成していることが、上記の実施の形態１および実施の形態２と相違する。
【００３３】
この実施の形態３では、シャッター４３をシャッターリブ４３ｂでシャッターシール面４３ａの四方を囲むよう構成したことで、シャッター４３の下方と排気ダクト４４との間にはシャッター４３の開放動作のための隙間が閉じられており、シャッター４３の下方の隙間もシャッターリブ４３ｂの高温湿潤空気の流れを阻害させる効果により補えることができ、上記の実施の形態１および実施の形態２と同様な効果を更に向上させることができる。
【００３４】
実施の形態４．
図１２（Ａ）（Ｂ）は本発明の実施の形態４に係る食器洗浄機の排気ダクト内の構成を示した説明図であり、（Ａ）はシャッター４３をガイド体３ｃに回動自在に取り付けた取付部分の平面図、（Ｂ）は縦断面図である。シャッター４３の上辺には、例えばステップモータ等のモータ（押圧体）５１の回転軸と連結した軸５２が取り付けられており、その軸５２にはバネ部材５２が取り付けられており、また、軸５２は排気ユニット４１に回動自在に支持されている。このバネ部材５２は、シャッター４３をガイド体３ｃ側に押圧するように付勢しており、乾燥用送風機２２による風圧だけでは開口しないようになっている。このためシール性が、上記の実施の形態に比べて更に向上したものとなっている。そして、例えば乾燥工程になると、制御装置９がモータ５１を駆動することにより軸５２がバネ部材５２のバネ力に抗してシャッター４３の下辺をガイド体３ｃから離れる方向に移動（回動）させる。これにより、槽排気口３ｂと外部排気口５ａとがガイド体３ｃを介して連通し、洗浄槽３内の高温湿潤空気が外部に確実に排出される。
【図面の簡単な説明】
【００３５】
【図１】本発明の実施の形態１に係る食器洗浄機の縦断面図。
【図２】同食器洗浄機の正面図。
【図３】同食器洗浄機のドアを手前に引いた状態の縦断面図。
【図４】同実施の形態１の排気ユニット要部縦断面図。
【図５】同実施の形態１の排気ユニット要部斜視図。
【図６】同実施の形態１の排気ユニット斜視図。
【図７】同実施の形態１の乾燥工程の空気の流れを示す説明図。
【図８】本発明の実施の形態２の排気ユニット要部縦断面図。
【図９】同実施の形態２のガイド体（ダクトガイド）斜視図。
【図１０】本発明の実施の形態３の排気ユニット要部縦断面図。
【図１１】同実施の形態３のシャッター斜視図。
【図１２】本発明の実施の形態４に係る食器洗浄機の排気ダクト内の構成を示した説明図。
【符号の説明】
【００３６】
１  食器洗浄機、２  筐体、３  洗浄槽、３ａ  槽送風口、３ｂ  槽排気口、３ｃ  ガイド体（槽シールリブ）、３ｄ  槽シール面、４  ふた体、５  ドア、５ａ  外部排気口、６  食器かご、７  操作部、８  運転スイッチ、９  制御装置、１０  給水弁、１１  水位検知装置、１２  湯沸かしヒータ、１３  洗浄ポンプ、１４  ノズル、１５  水温検知素子、１６  排水ポンプ、２１  乾燥ユニット、２２  乾燥用送風機、２３  乾燥用ヒータ、２４  ケーシング、４１  排気ユニット、４２  ガイド体（ダクトガイド）、４２ａ  シール面、４３  シャッター、４３ａ  シャッターシール面、４３ｂ  シャッターリブ、４４  排気ダクト、４４ａ  軒面Ａ、４４ｂ  傾斜面、４４ｃ  軒面Ｂ、４４ｄ  軸受、９１  食器類。
【図１】
2008229309.tif 000003
【図２】
2008229309.tif 000004
【図３】
2008229309.tif 000005
【図４】
2008229309.tif 000006
【図５】
2008229309.tif 000007
【図６】
2008229309.tif 000008
【図７】
2008229309.tif 000009
【図８】
2008229309.tif 000010
【図９】
2008229309.tif 000011
【図１０】
2008229309.tif 000012
【図１１】
2008229309.tif 000013
【図１２】
2008229309.tif 000014